(57)【要約】  本願の実施例はＢＷＰ切り替え方法及び装置、端末装置を提供する。該方法は、端末装置が第１設定情報を取得し、前記第１設定情報はランダムアクセス過程を開始するための第１リソース情報と、ダウンリンク制御チャネルを検出するための第１サーチ空間の識別子情報とを含み、前記第１設定情報が第１ＢＷＰに対応し、前記第１サーチ空間が第２ＢＷＰに対応することと、前記第１ＢＷＰがアクティブ状態にある場合、前記端末装置が前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行することと、を含む。
2021520750.tif 000002
【特許請求の範囲】
【請求項１】
帯域幅パート（ＢＷＰ）切り替え方法であって、
端末装置が第１設定情報を取得し、前記第１設定情報はランダムアクセス過程を開始するための第１リソース情報と、ダウンリンク制御チャネルを検出するための第１サーチ空間の識別子情報とを含み、前記第１設定情報が第１ＢＷＰに対応し、前記第１サーチ空間が第２ＢＷＰに対応することと、
前記第１ＢＷＰがアクティブ状態にある場合、前記端末装置が前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行することと、を含む帯域幅パート（ＢＷＰ）切り替え方法。
【請求項２】
前記第１ＢＷＰの識別子情報は前記第２ＢＷＰの識別子情報と同じであり、又は、
前記第１ＢＷＰの識別子情報は前記第２ＢＷＰの識別子情報と異なる請求項１に記載の方法。
【請求項３】
前記第２ＢＷＰをアクティブ状態に切り替え又は前記第２ＢＷＰをアクティブ状態に維持することは、
前記第２ＢＷＰが非アクティブ状態にある場合、前記第２ＢＷＰを非アクティブ状態からアクティブ状態に切り替えること、又は、
前記第２ＢＷＰがアクティブ状態にある場合、前記第２ＢＷＰをアクティブ状態に維持することを含む請求項１又は２に記載の方法。
【請求項４】
前記第１ＢＷＰがアクティブ状態にある場合、前記端末装置が前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行することは、
ビーム失敗リカバリ（ＢＦＲ）がトリガーするランダムアクセス条件を満足する場合、前記端末装置は現在アクティベートされているアップリンクＢＷＰが前記第１ＢＷＰであるかどうかを決定することと、
前記第１ＢＷＰがアクティブ状態にある場合、前記端末装置が前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行することと、を含む請求項１〜３のいずれか１項に記載の方法。
【請求項５】
前記端末装置が第１設定情報を取得することは、
前記端末装置がネットワーク装置から前記第１設定情報を取得することを含む請求項１〜４のいずれか１項に記載の方法。
【請求項６】
前記方法は更に、
前記第１ＢＷＰがアクティブ状態にある場合、現在アクティベートされているダウンリンクＢＷＰを第３ＢＷＰに切り替え、前記第３ＢＷＰの識別子情報が前記第１ＢＷＰの識別子情報と同じであって、前記第３ＢＷＰの識別子情報が前記第２ＢＷＰの識別子情報と異なる場合、前記端末は競争に基づくランダムアクセス過程である第２ランダムアクセス過程を開始することを含む請求項１〜５のいずれか１項に記載の方法。
【請求項７】
ＢＷＰ切り替え装置であって、
第１設定情報を取得することに用いられ、前記第１設定情報はランダムアクセス過程を開始するための第１リソース情報と、ダウンリンク制御チャネルを検出するための第１サーチ空間の識別子情報とを含み、前記第１設定情報が第１ＢＷＰに対応し、前記第１サーチ空間が第２ＢＷＰに対応する取得ユニットと、
前記第１ＢＷＰがアクティブ状態にある場合、前記第２ＢＷＰをアクティブ状態に切り替え又は前記第２ＢＷＰをアクティブ状態に維持することに用いられるアクティブユニットと、
前記第１ＢＷＰ及び前記第２ＢＷＰにおいてランダムアクセス過程を実行することに用いられるランダムアクセスユニットと、を備えるＢＷＰ切り替え装置。
【請求項８】
前記第１ＢＷＰの識別子情報は前記第２ＢＷＰの識別子情報と同じであり、又は、
前記第１ＢＷＰの識別子情報は前記第２ＢＷＰの識別子情報と異なる請求項７に記載の装置。
【請求項９】
前記アクティブユニットは、前記第２ＢＷＰが非アクティブ状態にある場合、前記第２ＢＷＰを非アクティブ状態からアクティブ状態に切り替えること、又は、前記第２ＢＷＰがアクティブ状態にある場合、前記第２ＢＷＰをアクティブ状態に維持することに用いられる請求項７又は８に記載の装置。
【請求項１０】
前記装置は更に、
ビーム失敗リカバリ（ＢＦＲ）がトリガーするランダムアクセス条件を満足する場合、現在アクティベートされているアップリンクＢＷＰが前記第１ＢＷＰであるかどうかを決定することに用いられる決定ユニットを備える請求項７〜９のいずれか１項に記載の装置。
【請求項１１】
前記取得ユニットはネットワーク装置から前記第１設定情報を取得することに用いられる請求項７〜１０のいずれか１項に記載の装置。
【請求項１２】
前記アクティブユニットは、前記第１ＢＷＰがアクティブ状態にある場合、現在アクティベートされているダウンリンクＢＷＰを第３ＢＷＰに切り替えることに用いられ、前記第３ＢＷＰの識別子情報は前記第１ＢＷＰの識別子情報と同じであり、前記第３ＢＷＰの識別子情報は前記第２ＢＷＰの識別子情報と異なり、
前記ランダムアクセスユニットは更に、競争に基づくランダムアクセス過程である第２ランダムアクセス過程を開始することに用いられる請求項７〜１１のいずれか１項に記載の装置。
【請求項１３】
端末装置であって、
プロセッサ及びメモリを備え、該メモリはコンピュータプログラムを記憶することに用いられ、前記プロセッサは前記メモリに記憶されるコンピュータプログラムを呼び出して実行して、請求項１〜６のいずれか１項に記載の方法を実行することに用いられる端末装置。
【請求項１４】
チップであって、
メモリからコンピュータプログラムを呼び出して実行することにより、前記チップを取り付ける装置が請求項１〜６のいずれか１項に記載の方法を実行することに用いられるプロセッサを備えるチップ。
【請求項１５】
コンピュータプログラムを記憶することに用いられ、前記コンピュータプログラムによってコンピュータが請求項１〜６のいずれか１項に記載の方法を実行するコンピュータ可読記憶媒体。
【請求項１６】
コンピュータプログラム命令を含み、該コンピュータプログラム命令によってコンピュータが請求項１〜６のいずれか１項に記載の方法を実行するコンピュータプログラム製品。
【請求項１７】
コンピュータに請求項１〜６のいずれか１項に記載の方法を実行させるコンピュータプログラム。
【発明の詳細な説明】
【技術分野】
【０００１】
本願の実施例は移動通信技術分野に関し、具体的に帯域幅パート（ＢＷＰ、Ｂａｎｄ  Ｗｉｄｔｈ  Ｐａｒｔ）切り替え方法及び装置、端末装置に関する。
【背景技術】
【０００２】
端末がランダムアクセスチャネル（ＲＡＣＨ、Ｒａｎｄｏｍ  Ａｃｃｅｓｓ  Ｃｈａｎｎｅｌ）過程を開始するとき、ビーム失敗リカバリ（ＢＦＲ、Ｂｅａｍ  Ｆａｉｌｕｒｅ  Ｒｅｃｏｖｅｒｙ）がトリガーするＲＡＣＨ過程を含み、端末はまず現在アクティベートされているアップリンクＢＷＰにＲＡＣＨリソースが設定されるかどうかを判断し、ＲＡＣＨリソースが設定される場合、現在アクティベートされているダウンリンクＢＷＰのインデックス（ｉｎｄｅｘ）が現在アクティベートされているアップリンクＢＷＰのｉｎｄｅｘに一致するかどうかを判断する。一致する場合、現在アクティベートされているアップリンクＢＷＰ及びダウンリンクＢＷＰを維持して、ＲＡＣＨ過程を開始し、ダウンリンクＢＷＰのｉｎｄｅｘがアップリンクＢＷＰのｉｎｄｅｘに一致しない場合、現在アクティベートされているダウンリンクＢＷＰを現在アクティベートされているアップリンクＢＷＰのｉｎｄｅｘと同様のダウンリンクＢＷＰに切り替え、次に、ＲＡＣＨ過程を開始する。
【０００３】
しかしながら、このＢＷＰ切り替えプロセスは、ＢＦＲがトリガーするＲＡＣＨ（ＢＦＲ  ＲＡＣＨと略称される）に対して以下の問題がある。
【０００４】
現在アクティベートされているアップリンクＢＷＰにＲＡＣＨリソースが設定されるだけでなく、更に１つのサーチ空間（ＳｅａｒｃｈＳｐａｃｅ）のＩＤ（ｒｅｃｏｖｅｒｙＳｅａｒｃｈＳｐａｃｅＩＤと称される）が設定され、このＳｅａｒｃｈＳｐａｃｅのＩＤはあるダウンリンクＢＷＰとバンドリング関係を有する。端末はＢＦＲ  ＲＡＣＨを開始するとき、現在アクティベートされているダウンリンクＢＷＰ  ａを他のＢＷＰ  ｂに切り替えるが、ＢＷＰ  ｂには設定されるサーチ空間のＩＤがない場合、端末はＢＦＲ  ＲＡＣＨを完了できない。
【発明の概要】
【発明が解決しようとする課題】
【０００５】
本願の実施例は端末がＢＦＲ  ＲＡＣＨを実行するとき、アクティベートされているダウンリンクＢＷＰを、ＰＤＣＣＨを監視できるダウンリンクＢＷＰに切り替えるＢＷＰ切り替え方法及び装置、端末装置を提供する。
【課題を解決するための手段】
【０００６】
本発明の実施例に係るＢＷＰ切り替え方法は、
端末装置が第１設定情報を取得し、前記第１設定情報はランダムアクセス過程を開始するための第１リソース情報と、ダウンリンク制御チャネルを検出するための第１サーチ空間の識別子情報とを含み、前記第１設定情報が第１ＢＷＰに対応し、前記第１サーチ空間が第２ＢＷＰに対応することと、
前記第１ＢＷＰがアクティブ状態にある場合、前記端末装置が前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行することと、を含む。
【０００７】
本発明の実施例に係るＢＷＰ切り替え装置は、
第１設定情報を取得することに用いられ、前記第１設定情報はランダムアクセス過程を開始するための第１リソース情報と、ダウンリンク制御チャネルを検出するための第１サーチ空間の識別子情報とを含み、前記第１設定情報が第１ＢＷＰに対応し、前記第１サーチ空間が第２ＢＷＰに対応する取得ユニットと、
前記第１ＢＷＰがアクティブ状態にある場合、前記第２ＢＷＰをアクティブ状態に切り替え又は前記第２ＢＷＰをアクティブ状態に維持することに用いられるアクティブユニットと、
前記第１ＢＷＰ及び前記第２ＢＷＰにおいてランダムアクセス過程を実行することに用いられるランダムアクセスユニットと、を備える。
【０００８】
本発明の実施例に係る端末装置はプロセッサ及びメモリを備える。該メモリはコンピュータプログラムを記憶することに用いられ、該プロセッサは該メモリに記憶されるコンピュータプログラムを呼び出して実行して、上記ＢＷＰ切り替え方法を実行することに用いられる。
【０００９】
本発明の実施例に係るチップは上記ＢＷＰ切り替え方法を実現することに用いられる。
【００１０】
具体的に、該チップは、メモリからコンピュータプログラムを呼び出して実行することにより、該チップを取り付ける装置が上記ＢＷＰ切り替え方法を実行することに用いられるプロセッサを備える。
【００１１】
本発明の実施例に係るコンピュータ可読記憶媒体はコンピュータプログラムを記憶することに用いられ、該コンピュータプログラムによってコンピュータが上記ＢＷＰ切り替え方法を実行する。
【００１２】
本発明の実施例に係るコンピュータプログラム製品はコンピュータプログラム命令を含み、該コンピュータプログラム命令によってコンピュータが上記ＢＷＰ切り替え方法を実行する。
【００１３】
本発明の実施例に係るコンピュータプログラムは、コンピュータにおいて実行されるとき、コンピュータが上記ＢＷＰ切り替え方法を実行する。
【発明の効果】
【００１４】
上記技術案によれば、端末はＢＦＲ  ＲＡＣＨを実行するとき、アクティベートされているダウンリンクＢＷＰを、ダウンリンク制御チャネルを監視できるダウンリンクＢＷＰに切り替え、それによりＢＦＲ過程がスムーズに完了できる。
【図面の簡単な説明】
【００１５】
【図１】図１は本願の実施例に係る通信システムアーキテクチャの模式図である。
【図２】図２は本願の実施例に係るＢＷＰ切り替え方法のフローチャートである。
【図３】図３は本願の実施例のＢＷＰ切り替え装置の構造模式図である。
【図４】図４は本願の実施例に係る端末装置の構造模式図である。
【図５】図５は本願の実施例のチップの構造模式図である。
【図６】図６は本願の実施例に係る通信システムの模式的なブロック図である。
【発明を実施するための形態】
【００１６】
以下、本願の実施例の図面を参照しながら本願の実施例の技術案を説明し、明らかに、説明される実施例は本願の実施例の一部であり、実施例の全部ではない。本願の実施例に基づいて、当業者が進歩性のある労働を必要とせずに得る他の実施例は、いずれも本願の保護範囲に属する。
【００１７】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【００１８】
例示的に、本願の実施例に適用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又はクラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよく、又は、該ネットワーク装置は移動交換局、中継局、アクセスポイント、車載装置、ウェアラブル端末、ハブ、スイッチ装置、ブリッジ、ルータ、５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００１９】
該通信システム１００は更にネットワーク装置１１０のカバレッジ範囲内の少なくとも１つの端末装置１２０を備える。ここで使用される「端末装置」としては、有線回線による接続、例えば公衆電話交換網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブルによる接続、及び／又は他のデータ接続／ネットワーク、及び／又はセルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）、ＤＶＢ−Ｈネットワーク等のデジタルテレビネットワーク、衛星ネットワーク、ＡＭ−ＦＭ放送送信機のような無線インターフェースによるもの、及び／又は他の端末装置における通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらに限らない。無線インターフェースを介して通信するように設定される端末装置は「無線通信端末」、「無線端末」又は「モバイル端末」と称されてもよい。モバイル端末の例は衛星又はセルラー電話を含むが、それらに限らず、セルラー方式無線電話及びデータ処理、ファックス及びデータ通信機能を有するパーソナル移動通信システム（ＰＣＳ、Ｐｅｒｓｏｎａｌ  Ｃｏｍｍｕｎｉｃａｔｉｏｎｓ  Ｓｙｓｔｅｍ）端末を組み合わせてもよく、無線電話、ポケットベル、インターネット／イントラネットアクセス、Ｗｅｂブラウザ、手帳、カレンダ及び／又は全地球測位システム（ＧＰＳ、Ｇｌｏｂａｌ  Ｐｏｓｉｔｉｏｎｉｎｇ  Ｓｙｓｔｅｍ）受信機のＰＤＡ、及び通常のラップトップ及び／又はパームトップ受信機又は無線電話送受信機を備える他の電子装置を含んでもよい。端末装置とはアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線端末装置、ユーザーエージェント又はユーザーデバイスを指してもよい。アクセス端末はセルラー電話、コードレス電話、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、５Ｇネットワークにおける端末装置又は将来発展するＰＬＭＮにおける端末装置等であってもよい。
【００２０】
選択肢として、端末装置１２０同士は装置対装置（Ｄ２Ｄ、Ｄｅｖｉｃｅ  ｔｏ  Ｄｅｖｉｃｅ）通信を行うことができる。
【００２１】
選択肢として、５Ｇシステム又は５Ｇネットワークは更に新無線（ＮＲ、Ｎｅｗ  Ｒａｄｉｏ）システム又はＮＲネットワークと称されてもよい。
【００２２】
図１には１つのネットワーク装置及び２つの端末装置を例示し、選択肢として、該通信システム１００は複数のネットワーク装置を備えてもよく、且つ各ネットワーク装置のカバレッジ範囲内には他の数の端末装置が含まれてもよく、本願の実施例は制限しない。
【００２３】
選択肢として、該通信システム１００は更にネットワーク制御装置、モビリティ管理エンティティ等の他のネットワークエンティティを備えてもよく、本願の実施例は制限しない。
【００２４】
理解されるように、本願の実施例では、ネットワーク／システムにおける通信機能を有する装置が端末装置と称されてもよい。図１に示される通信システム１００を例とすれば、端末装置は通信機能を有するネットワーク装置１１０及び端末装置１２０を含んでもよく、ネットワーク装置１１０及び端末装置１２０は以上に記載の具体的な装置であってもよく、ここで詳細な説明は省略する。端末装置は更に通信システム１００における他の装置、例えばネットワーク制御装置、モビリティ管理エンティティ等の他のネットワークエンティティを含んでもよく、本願の実施例は制限しない。
【００２５】
理解されるように、本明細書における用語「システム」と「ネットワーク」は本明細書において常に交換可能に使用される。本明細書における用語「及び／又は」は関連オブジェクトの関連関係を説明するためのものに過ぎず、３つの関係が存在してもよいことを示す。例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００２６】
図２は本願の実施例に係るＢＷＰ切り替え方法のフローチャートであり、図２に示すように、前記ＢＷＰ切り替え方法は以下のステップ２０１〜２０２を含む。
【００２７】
ステップ２０１、端末装置は第１設定情報を取得し、前記第１設定情報はランダムアクセス過程を開始するための第１リソース情報と、ダウンリンク制御チャネルを検出するための第１サーチ空間の識別子情報とを含み、前記第１設定情報は第１ＢＷＰに対応し、前記第１サーチ空間は第２ＢＷＰに対応する。
【００２８】
本発明の実施例では、端末装置は携帯電話、タブレットコンピュータ、ノートパソコン、デスクトップパソコン等のいかなるネットワーク装置と通信できる装置であってもよい。
【００２９】
本発明の実施例のランダムアクセス過程はＢＦＲがトリガーするランダムアクセス過程であってもよいが、それに限らず、一例では、前記第１設定情報はＢｅａｍＦａｉｌｕｒｅＲｅｃｏｖｅｒｙＣｏｎｆｉｇと称されてもよい。
【００３０】
本発明の実施例では、前記第１設定情報は少なくとも２つの情報を含み、一方はランダムアクセス過程を開始するための第１リソース情報、例えば物理ランダムアクセスチャネル（ＰＲＡＣＨ）であるが、他方はダウンリンク制御チャネル（例えば、ＰＤＣＣＨ）を検出するための第１サーチ空間の識別子情報である。ここで、前記第１設定情報は第１ＢＷＰに対応し、即ち第１設定情報は第１ＢＷＰに設定される。前記第１サーチ空間は第２ＢＷＰに対応する。
【００３１】
本発明の実施例では、前記端末装置はネットワーク装置から前記第１設定情報を取得する。
【００３２】
本発明の実施例では、ネットワークは前記第１ＢＷＰの識別子情報が前記第２ＢＷＰの識別子情報と同じであるように設定してもよく、又は、ネットワークは前記第１ＢＷＰの識別子情報と前記第２ＢＷＰの識別子情報をランダムに設定して、第１ＢＷＰの識別子情報と前記第２ＢＷＰの識別子情報が同じであってもよく、異なってもよいようにする。
【００３３】
ステップ２０２、前記第１ＢＷＰがアクティブ状態にある場合、前記端末装置は前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行する。
【００３４】
ビーム失敗リカバリ（ＢＦＲ）がトリガーするランダムアクセス条件を満足する場合、前記端末装置は現在アクティベートされているアップリンクＢＷＰが前記第１ＢＷＰであるかどうかを決定し、前記第１ＢＷＰがアクティブ状態にある場合、前記端末装置は前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行する。
【００３５】
１）ネットワーク側が前記第１ＢＷＰの識別子情報と前記第２ＢＷＰの識別子情報を同じに設定する場合については、ビーム失敗リカバリ（ＢＦＲ）がトリガーするランダムアクセス条件を満足する場合、前記端末装置は現在アクティベートされているアップリンクＢＷＰが前記第１ＢＷＰであるかどうかを決定し、即ち現在アクティベートされているアップリンクＢＷＰに前記第１設定情報が設定されるかどうかを決定する。前記第１ＢＷＰがアクティブ状態にある場合、前記端末装置は前記第２ＢＷＰをアクティブ状態に切り替え又は前記第２ＢＷＰをアクティブ状態に維持し、第１ＢＷＰの識別子情報と第２ＢＷＰの識別子情報が同じであるため、現在アクティベートされているアップリンクＢＷＰとアクティベートされているダウンリンクＢＷＰの識別子情報が同じであって、第１サーチ空間に対応するＢＷＰの識別子情報と同じであることによって、端末がＢＦＲ  ＲＡＣＨを実行するとき、現在アクティベートされているものを、ＰＤＣＣＨを監視できるダウンリンクＢＷＰに切り替えるように確保する。
【００３６】
２）ネットワーク側が前記第１ＢＷＰの識別子情報と前記第２ＢＷＰの識別子情報を同じ又は異なるように設定する場合については、ビーム失敗リカバリ（ＢＦＲ）がトリガーするランダムアクセス条件を満足する場合、前記端末装置は現在アクティベートされているアップリンクＢＷＰが前記第１ＢＷＰであるかどうかを決定し、即ち現在アクティベートされているアップリンクＢＷＰに前記第１設定情報が設定されるかどうかを決定する。前記第１ＢＷＰがアクティブ状態にある場合、前記端末装置は前記第２ＢＷＰをアクティブ状態に切り替え又は前記第２ＢＷＰをアクティブ状態に維持し、ここで、現在アクティベートされているアップリンクＢＷＰとアクティベートされているダウンリンクＢＷＰの識別子情報は異なる可能性があるが、現在アクティベートされているダウンリンクＢＷＰの識別子情報と第１サーチ空間に対応するＢＷＰの識別子情報は同じであり、それにより端末がＢＦＲ  ＲＡＣＨを実行するとき、現在アクティベートされているものを、ＰＤＣＣＨを監視できるダウンリンクＢＷＰに切り替えるように確保する。
【００３７】
本発明の実施例では、前記第２ＢＷＰをアクティブ状態に切り替え又は前記第２ＢＷＰをアクティブ状態に維持することは、以下の２つの状況がある。
【００３８】
１）前記第２ＢＷＰが非アクティブ状態にある場合、前記第２ＢＷＰを非アクティブ状態からアクティブ状態に切り替える。
【００３９】
２）前記第２ＢＷＰがアクティブ状態にある場合、前記第２ＢＷＰをアクティブ状態に維持する。
【００４０】
一実施形態では、前記第１ＢＷＰがアクティブ状態にある場合、現在アクティベートされているダウンリンクＢＷＰを第３ＢＷＰに切り替え、前記第３ＢＷＰの識別子情報が前記第１ＢＷＰの識別子情報と同じであって、前記第３ＢＷＰの識別子情報が前記第２ＢＷＰの識別子情報と異なる（即ち現在アクティベートされているアップリンクＢＷＰとダウンリンクＢＷＰの識別子情報が同じであるが、ダウンリンクＢＷＰが前記第１設定情報における第１サーチ空間の識別子情報に対応しない）場合、前記端末は競争に基づくランダムアクセス過程である第２ランダムアクセス過程（上記ランダムアクセス過程と異なる）を開始する。
【００４１】
以下、例を挙げて具体的な応用例と組み合わせて本発明の実施例の技術案を説明する。
【００４２】
応用例１
１．ＢｅａｍＦａｉｌｕｒｅＲｅｃｏｖｅｒｙＣｏｎｆｉｇ（即ち第１設定情報）はあるアップリンクＢＷＰ、例えばアップリンクＢＷＰ  ｎ（即ち第１ＢＷＰ）に設定され、ＢｅａｍＦａｉｌｕｒｅＲｅｃｏｖｅｒｙＣｏｎｆｉｇにおけるｒｅｃｏｖｅｒｙＳｅａｒｃｈＳｐａｃｅＩｄ（即ち第１サーチ空間の識別子情報）はあるダウンリンクＢＷＰ、例えばダウンリンクＢＷＰ  ｍ（即ち第２ＢＷＰ）に対応し、ここで、ｍとｎはＢＷＰのｉｎｄｅｘである。
【００４３】
２．ネットワーク設定によって上記ｍ＝ｎを確保する。
【００４４】
３．ＢＦＲ  ＲＡＣＨのトリガー条件を満足する場合、現在アクティベートされているアップリンクＢＷＰにＢｅａｍＦａｉｌｕｒｅＲｅｃｏｖｅｒｙＣｏｎｆｉｇが設定され、即ち現在アクティベートされているアップリンクＢＷＰがアップリンクＢＷＰ  ｎであり、現在アクティベートされているダウンリンクＢＷＰがＢＷＰ  ｘであり、ｘがｍに等しくないと仮定すれば、端末は現在アクティベートされているダウンリンクＢＷＰ  ｘをダウンリンクＢＷＰ  ｍに切り替える。
【００４５】
４．端末はアップリンクＢＷＰ  ｎ及びダウンリンクＢＷＰ  ｍにおいてＢＦＲ  ＲＡＣＨ過程を実行し、ここでｍ＝ｎである。
【００４６】
応用例２
１．ＢｅａｍＦａｉｌｕｒｅＲｅｃｏｖｅｒｙＣｏｎｆｉｇ（即ち第１設定情報）はあるアップリンクＢＷＰ、例えばアップリンクＢＷＰ  ｎ（即ち第１ＢＷＰ）に設定され、ＢｅａｍＦａｉｌｕｒｅＲｅｃｏｖｅｒｙＣｏｎｆｉｇにおけるｒｅｃｏｖｅｒｙＳｅａｒｃｈＳｐａｃｅＩｄ（即ち第１サーチ空間の識別子情報）はあるダウンリンクＢＷＰ、例えばダウンリンクＢＷＰ  ｍ（即ち第２ＢＷＰ）に対応し、ｍがｎに等しくてもよく、ｍがｎに等しくなくてもよく、ここで、ｍとｎはＢＷＰのｉｎｄｅｘである。
【００４７】
２．ＢＦＲ  ＲＡＣＨのトリガー条件を満足する場合、現在アクティベートされているアップリンクＢＷＰにＢｅａｍＦａｉｌｕｒｅＲｅｃｏｖｅｒｙＣｏｎｆｉｇが設定され、即ち現在アクティベートされているアップリンクＢＷＰがアップリンクＢＷＰ  ｎであり、現在アクティベートされているダウンリンクＢＷＰがＢＷＰ  ｘであり、ｘがｍに等しくないと仮定すれば、端末は現在アクティベートされているダウンリンクＢＷＰ  ｘをダウンリンクＢＷＰ  ｍに切り替える。
【００４８】
３．端末はアップリンクＢＷＰ  ｎ及びダウンリンクＢＷＰ  ｍにおいてＢＦＲ  ＲＡＣＨ過程を実行する。
【００４９】
図３は本発明の実施例に係るＢＷＰ切り替え装置の構造模式図であり、図３に示すように、前記ＢＷＰ切り替え装置は、
第１設定情報を取得することに用いられ、前記第１設定情報はランダムアクセス過程を開始するための第１リソース情報と、ダウンリンク制御チャネルを検出するための第１サーチ空間の識別子情報とを含み、前記第１設定情報が第１ＢＷＰに対応し、前記第１サーチ空間が第２ＢＷＰに対応する取得ユニット３０１と、
前記第１ＢＷＰがアクティブ状態にある場合、前記第２ＢＷＰをアクティブ状態に切り替え又は前記第２ＢＷＰをアクティブ状態に維持することに用いられるアクティブユニット３０２と、
前記第１ＢＷＰ及び前記第２ＢＷＰにおいてランダムアクセス過程を実行することに用いられるランダムアクセスユニット３０３と、を備える。
【００５０】
一実施形態では、前記第１ＢＷＰの識別子情報は前記第２ＢＷＰの識別子情報と同じであり、又は、前記第１ＢＷＰの識別子情報は前記第２ＢＷＰの識別子情報と異なる。
【００５１】
一実施形態では、前記アクティブユニット３０２は、前記第２ＢＷＰが非アクティブ状態にある場合、前記第２ＢＷＰを非アクティブ状態からアクティブ状態に切り替え、又は、前記第２ＢＷＰがアクティブ状態にある場合、前記第２ＢＷＰをアクティブ状態に維持することに用いられる。
【００５２】
一実施形態では、前記装置は更に、
ビーム失敗リカバリ（ＢＦＲ）がトリガーするランダムアクセス条件を満足する場合、現在アクティベートされているアップリンクＢＷＰが前記第１ＢＷＰであるかどうかを決定することに用いられる決定ユニット３０４を備える。
【００５３】
一実施形態では、前記取得ユニット３０１はネットワーク装置から前記第１設定情報を取得することに用いられる。
【００５４】
一実施形態では、前記アクティブユニット３０２は、前記第１ＢＷＰがアクティブ状態にある場合、現在アクティベートされているダウンリンクＢＷＰを第３ＢＷＰに切り替えることに用いられ、前記第３ＢＷＰの識別子情報は前記第１ＢＷＰの識別子情報と同じであり、前記第３ＢＷＰの識別子情報は前記第２ＢＷＰの識別子情報と異なり、
前記ランダムアクセスユニット３０３は更に、競争に基づくランダムアクセス過程である第２ランダムアクセス過程を開始することに用いられる。
【００５５】
当業者であれば理解できるように、本願の実施例の上記ＢＷＰ切り替え装置の関連説明は本願の実施例のＢＷＰ切り替え方法の関連説明を参照して理解されてもよい。
【００５６】
図４は本願の実施例に係る端末装置６００の構造模式図であり、図４に示される端末装置６００はプロセッサ６１０を備え、プロセッサ６１０はメモリからコンピュータプログラムを呼び出して実行して、本願の実施例の方法を実現することができる。
【００５７】
選択肢として、図４に示すように、端末装置６００は更にメモリ６２０を備えてもよい。プロセッサ６１０はメモリ６２０からコンピュータプログラムを呼び出して実行して、本願の実施例の方法を実現することができる。
【００５８】
メモリ６２０はプロセッサ６１０から独立した１つの独立したデバイスであってもよく、プロセッサ６１０に統合されてもよい。
【００５９】
選択肢として、図４に示すように、端末装置６００は更に送受信機６３０を備えてもよく、プロセッサ６１０は他の装置と通信するように該送受信機６３０を制御することができ、具体的に、他の装置に情報又はデータを送信し、又は他の装置から送信された情報又はデータを受信することができる。
【００６０】
送受信機６３０は送信機及び受信機を備えてもよい。送受信機６３０は更にアンテナを備えてもよく、アンテナの数が１つ又は複数であってもよい。
【００６１】
選択肢として、該端末装置６００は具体的に本願の実施例のネットワーク装置であってもよく、且つ該端末装置６００は本願の実施例の各方法におけるネットワーク装置の実現する対応プロセスを実現することができる。簡潔のために、ここで詳細な説明は省略する。
【００６２】
選択肢として、該端末装置６００は具体的に本願の実施例のモバイル端末／端末装置であってもよく、且つ該端末装置６００は本願の実施例の各方法におけるモバイル端末／端末装置の実現する対応プロセスを実現することができる。簡潔のために、ここで詳細な説明は省略する。
【００６３】
図５は本願の実施例のチップの構造模式図である。図５に示されるチップ７００はプロセッサ７１０を備え、プロセッサ７１０はメモリからコンピュータプログラムを呼び出して実行して、本願の実施例の方法を実現することができる。
【００６４】
選択肢として、図５に示すように、チップ７００は更にメモリ７２０を備えてもよい。プロセッサ７１０はメモリ７２０からコンピュータプログラムを呼び出して実行して、本願の実施例の方法を実現することができる。
【００６５】
メモリ７２０はプロセッサ７１０から独立した１つの独立したデバイスであってもよく、プロセッサ７１０に統合されてもよい。
【００６６】
選択肢として、該チップ７００は更に入力インターフェース７３０を備えてもよい。プロセッサ７１０は他の装置又はチップと通信するように該入力インターフェース７３０を制御することができ、具体的に、他の装置又はチップから送信された情報又はデータを取得することができる。
【００６７】
選択肢として、該チップ７００は更に出力インターフェース７４０を備えてもよい。プロセッサ７１０は他の装置又はチップと通信するように該出力インターフェース７４０を制御することができ、具体的に、他の装置又はチップに情報又はデータを出力することができる。
【００６８】
選択肢として、該チップは本願の実施例のネットワーク装置に適用されてもよく、且つ該チップは本願の実施例の各方法におけるネットワーク装置の実現する対応プロセスを実現することができる。簡潔のために、ここで詳細な説明は省略する。
【００６９】
選択肢として、該チップは本願の実施例のモバイル端末／端末装置に適用されてもよく、且つ該チップは本願の実施例の各方法におけるモバイル端末／端末装置の実現する対応プロセスを実現することができる。簡潔のために、ここで詳細な説明は省略する。
【００７０】
理解されるように、本願の実施例に言及したチップは更にシステムレベルチップ、システムチップ、チップシステム又は内蔵システムチップ等と称されてもよい。
【００７１】
図６は本願の実施例に係る通信システム９００の模式的なブロック図である。図９に示すように、該通信システム９００は端末装置９１０及びネットワーク装置９２０を備える。
【００７２】
該端末装置９１０は上記方法における端末装置の実現する対応機能を実現することに用いられてもよく、該ネットワーク装置９２０は上記方法におけるネットワーク装置の実現する対応機能を実現することに用いられてもよい。簡潔のために、ここで詳細な説明は省略する。
【００７３】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【００７４】
理解されるように、本願の実施例では、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。なお、本明細書に説明されるシステム及び方法のメモリはこれらのメモリ及び任意の他の適切なタイプのメモリを含むが、それらに限らないように意図されるものである。
【００７５】
理解されるように、上記メモリは例示的な説明であって制限的ではなく、例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。すなわち、本願の実施例のメモリはこれらのメモリ及び任意の他の適切なタイプのメモリを含むが、それらに限らないように意図されるものである。
【００７６】
本願の実施例は更にコンピュータ可読記憶媒体を提供し、コンピュータプログラムを記憶することに用いられる。
【００７７】
選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行する。簡潔のために、ここで詳細な説明は省略する。
【００７８】
選択肢として、該コンピュータ可読記憶媒体は本願の実施例のモバイル端末／端末装置に適用されてもよく、且つ該コンピュータプログラムによってコンピュータが本願の実施例の各方法におけるモバイル端末／端末装置の実現する対応プロセスを実行する。簡潔のために、ここで詳細な説明は省略する。
【００７９】
本願の実施例は更にコンピュータプログラム製品を提供し、コンピュータプログラム命令を含む。
【００８０】
選択肢として、該コンピュータプログラム製品は本願の実施例のネットワーク装置に適用されてもよく、且つ該コンピュータプログラム命令によってコンピュータが本願の実施例の各方法におけるネットワーク装置の実現する対応プロセスを実行する。簡潔のために、ここで詳細な説明は省略する。
【００８１】
選択肢として、該コンピュータプログラム製品は本願の実施例のモバイル端末／端末装置に適用されてもよく、且つ該コンピュータプログラム命令によってコンピュータが本願の実施例の各方法におけるモバイル端末／端末装置の実現する対応プロセスを実行する。簡潔のために、ここで詳細な説明は省略する。
【００８２】
本願の実施例は更にコンピュータプログラムを提供する。
【００８３】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置の実現する対応プロセスを実行する。簡潔のために、ここで詳細な説明は省略する。
【００８４】
選択肢として、該コンピュータプログラムは本願の実施例のモバイル端末／端末装置に適用されてもよく、該コンピュータプログラムがコンピュータにおいて実行されるとき、コンピュータが本願の実施例の各方法におけるモバイル端末／端末装置の実現する対応プロセスを実行する。簡潔のために、ここで詳細な説明は省略する。
【００８５】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【００８６】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【００８７】
本願に係るいくつかの実施例において、理解されるように、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【００８８】
分離部材として説明される前記ユニットは物理的に分離してもよく、物理的に分離しなくてもよい。ユニットとして表示される部材は物理ユニットであってもよく、物理ユニットでなくてもよく、即ち一箇所に位置してもよく、複数のネットワークユニットに設定されてもよい。実際の必要に応じて、その一部又は全部のユニットを選択して本実施例案の目的を実現してもよい。
【００８９】
また、本願の各実施例では、各機能ユニットは１つの処理ユニットに統合されてもよく、各ユニットは独立して物理的に存在してもよく、２つ以上のユニットは１つのユニットに統合されてもよい。
【００９０】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよい。該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【００９１】
以上の説明は本願の具体的な実施形態に過ぎず、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021520750.tif 000003
【図２】
2021520750.tif 000004
【図３】
2021520750.tif 000005
【図４】
2021520750.tif 000006
【図５】
2021520750.tif 000007
【図６】
2021520750.tif 000008
【手続補正書】
【提出日】令和2年10月28日(2020.10.28)
【手続補正１】
【補正対象書類名】明細書
【補正対象項目名】００１７
【補正方法】変更
【補正の内容】
【００１７】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）システム、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）システム、ユニバーサルモバイルテレコミュニケーションシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【手続補正２】
【補正対象書類名】明細書
【補正対象項目名】００２４
【補正方法】変更
【補正の内容】
【００２４】
理解されるように、本願の実施例では、ネットワーク／システムにおける通信機能を有する装置が端末装置と称されてもよい。図１に示される通信システム１００を例とすれば、通信システム１００は通信機能を有するネットワーク装置１１０及び端末装置１２０を含んでもよく、ネットワーク装置１１０及び端末装置１２０は以上に記載の具体的な装置であってもよく、ここで詳細な説明は省略する。端末装置は更に通信システム１００における他の装置、例えばネットワーク制御装置、モビリティ管理エンティティ等の他のネットワークエンティティを含んでもよく、本願の実施例は制限しない。
【手続補正３】
【補正対象書類名】明細書
【補正対象項目名】００３５
【補正方法】変更
【補正の内容】
【００３５】
１）ネットワーク側が前記第１ＢＷＰの識別子情報と前記第２ＢＷＰの識別子情報を同じに設定する場合については、ビーム失敗リカバリ（ＢＦＲ）がトリガーするランダムアクセス条件を満足する場合、前記端末装置は現在アクティベートされているアップリンクＢＷＰが前記第１ＢＷＰであるかどうかを決定し、即ち現在アクティベートされているアップリンクＢＷＰに前記第１設定情報が設定されるかどうかを決定する。前記第１ＢＷＰがアクティブ状態にある場合、前記端末装置は前記第２ＢＷＰをアクティブ状態に切り替え又は前記第２ＢＷＰをアクティブ状態に維持し、第１ＢＷＰの識別子情報と第２ＢＷＰの識別子情報が同じであるため、現在アクティベートされているアップリンクＢＷＰとアクティベートされているダウンリンクＢＷＰの識別子情報が同じであって、第１サーチ空間に対応するＢＷＰの識別子情報と同じであることによって、端末がＢＦＲ  ＲＡＣＨを実行するとき、現在アクティベートされているダウンリンクＢＷＰを、ＰＤＣＣＨを監視できるダウンリンクＢＷＰに切り替えるように確保する。
【手続補正４】
【補正対象書類名】明細書
【補正対象項目名】００３６
【補正方法】変更
【補正の内容】
【００３６】
２）ネットワーク側が前記第１ＢＷＰの識別子情報と前記第２ＢＷＰの識別子情報を同じ又は異なるように設定する場合については、ビーム失敗リカバリ（ＢＦＲ）がトリガーするランダムアクセス条件を満足する場合、前記端末装置は現在アクティベートされているアップリンクＢＷＰが前記第１ＢＷＰであるかどうかを決定し、即ち現在アクティベートされているアップリンクＢＷＰに前記第１設定情報が設定されるかどうかを決定する。前記第１ＢＷＰがアクティブ状態にある場合、前記端末装置は前記第２ＢＷＰをアクティブ状態に切り替え又は前記第２ＢＷＰをアクティブ状態に維持し、ここで、現在アクティベートされているアップリンクＢＷＰとアクティベートされているダウンリンクＢＷＰの識別子情報は異なる可能性があるが、現在アクティベートされているダウンリンクＢＷＰの識別子情報と第１サーチ空間に対応するＢＷＰの識別子情報は同じであり、それにより端末がＢＦＲ  ＲＡＣＨを実行するとき、現在アクティベートされているダウンリンクＢＷＰを、ＰＤＣＣＨを監視できるダウンリンクＢＷＰに切り替えるように確保する。
【手続補正５】
【補正対象書類名】特許請求の範囲
【補正対象項目名】全文
【補正方法】変更
【補正の内容】
【特許請求の範囲】
【請求項１】
帯域幅パート（ＢＷＰ）切り替え方法であって、
端末装置が第１設定情報を取得し、前記第１設定情報はランダムアクセス過程を開始するための第１リソース情報と、ダウンリンク制御チャネルを検出するための第１サーチ空間の識別子情報とを含み、前記第１設定情報が第１ＢＷＰに対応し、前記第１サーチ空間が第２ＢＷＰに対応することと、
前記第１ＢＷＰがアクティブ状態にある場合、前記端末装置が前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行することと、を含む帯域幅パート（ＢＷＰ）切り替え方法。
【請求項２】
前記第１ＢＷＰはアップリンクＢＷＰであり、前記第２ＢＷＰはダウンリンクＢＷＰである請求項１に記載の方法。
【請求項３】
前記第１設定情報が第１ＢＷＰに対応することは、
前記第１ＢＷＰに前記第１設定情報が設定されることを含む請求項２に記載の方法。
【請求項４】
前記第１設定情報はビーム失敗リカバリ設定情報である請求項２に記載の方法。
【請求項５】
前記第１ＢＷＰの識別子情報は前記第２ＢＷＰの識別子情報と同じである請求項１に記載の方法。
【請求項６】
前記第２ＢＷＰをアクティブ状態に切り替え又は前記第２ＢＷＰをアクティブ状態に維持することは、
前記第２ＢＷＰが非アクティブ状態にある場合、前記第２ＢＷＰを非アクティブ状態からアクティブ状態に切り替えること、又は、
前記第２ＢＷＰがアクティブ状態にある場合、前記第２ＢＷＰをアクティブ状態に維持することを含む請求項１〜５のいずれか１項に記載の方法。
【請求項７】
前記第１ＢＷＰがアクティブ状態にある場合、前記端末装置が前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行することは、
ビーム失敗リカバリ（ＢＦＲ）がトリガーするランダムアクセス条件を満足する場合、前記端末装置は現在アクティベートされているアップリンクＢＷＰが前記第１ＢＷＰであるかどうかを決定することと、
前記第１ＢＷＰがアクティブ状態にある場合、前記端末装置が前記第２ＢＷＰをアクティブ状態に切り替え又は前記第２ＢＷＰをアクティブ状態に維持して、前記第１ＢＷＰ及び前記第２ＢＷＰにおいてランダムアクセス過程を実行することと、を含む請求項１〜６のいずれか１項に記載の方法。
【請求項８】
ＢＷＰ切り替え装置であって、
第１設定情報を取得することに用いられ、前記第１設定情報はランダムアクセス過程を開始するための第１リソース情報と、ダウンリンク制御チャネルを検出するための第１サーチ空間の識別子情報とを含み、前記第１設定情報が第１ＢＷＰに対応し、前記第１サーチ空間が第２ＢＷＰに対応する取得ユニットと、
前記第１ＢＷＰがアクティブ状態にある場合、前記第２ＢＷＰをアクティブ状態に切り替え又は前記第２ＢＷＰをアクティブ状態に維持することに用いられるアクティブユニットと、
前記第１ＢＷＰ及び前記第２ＢＷＰにおいてランダムアクセス過程を実行することに用いられるランダムアクセスユニットと、を備えるＢＷＰ切り替え装置。
【請求項９】
前記第１ＢＷＰはアップリンクＢＷＰであり、前記第２ＢＷＰはダウンリンクＢＷＰである請求項８に記載の装置。
【請求項１０】
前記第１設定情報が第１ＢＷＰに対応することは、
前記第１ＢＷＰに前記第１設定情報が設定されることを含む請求項９に記載の装置。
【請求項１１】
前記第１設定情報はビーム失敗リカバリ設定情報である請求項９に記載の装置。
【請求項１２】
前記第１ＢＷＰの識別子情報は前記第２ＢＷＰの識別子情報と同じである請求項８に記載の装置。
【請求項１３】
前記アクティブユニットは、前記第２ＢＷＰが非アクティブ状態にある場合、前記第２ＢＷＰを非アクティブ状態からアクティブ状態に切り替えること、又は、前記第２ＢＷＰがアクティブ状態にある場合、前記第２ＢＷＰをアクティブ状態に維持することに用いられる請求項８〜１２のいずれか１項に記載の装置。
【請求項１４】
前記装置は更に、
ビーム失敗リカバリ（ＢＦＲ）がトリガーするランダムアクセス条件を満足する場合、現在アクティベートされているアップリンクＢＷＰが前記第１ＢＷＰであるかどうかを決定することに用いられる決定ユニットを備える請求項８〜１３のいずれか１項に記載の装置。
【請求項１５】
コンピュータプログラムを記憶することに用いられ、前記コンピュータプログラムによってコンピュータが請求項１〜７のいずれか１項に記載の方法を実行するコンピュータ可読記憶媒体。
【国際調査報告】
2021520750.tif 000009
2021520750.tif 000010